(57)【要約】【課題】  投影される画像の変更のため、投影フィルムを投影する投影機から投影フィルムの着脱を容易にする。【解決手段】  投影画像カートリッジ１０には、車両用投影機１００に装着された際、ベース１００ａから外部に露出可能な本体部１８ｄを有するレバー部材１８が設けられている。これにより、投影画像カートリッジ１０を、車両用投影機１００から取り出す際、レバー部材１８の本体部１８ｄを外部に露出させ指で摘んで容易に取り出すことができる。【選択図】  図３
2017030428.tif 000002
【特許請求の範囲】
【請求項１】
投影可能な被投影画像を有する投影フィルムと、前記投影フィルムを収納する投影画像カートリッジと、前記投影画像カートリッジを着脱可能に収納すると共に該投影フィルムの被投影画像を投影する車両用投影機とを備え、
前記投影画像カートリッジは、前記車両用投影機の外部に露出し得るレバー部材を有することを特徴とする車両用投影機。
【請求項２】
前記レバー部材は、前記車両用投影機から外部に露出して前記投影画像カートリッジを抜き出すための本体部を有することを特徴とする請求項１記載の車両用投影機。
【請求項３】
前記レバー部材は、前記車両用投影機から外部に露出して押動されることで該レバー部材の本体部を外部に露出させる押動部を有することを特徴とする請求項１又は２記載の車両用投影機。
【請求項４】
前記投影画像カートリッジが、前記車両用投影機に対して着脱可能なケースと、前記ケースに対して着脱可能に装着されたカバーと、前記ケース及び前記カバーの間に配置された前記投影フイルムとを備え、前記レバー部材は前記ケースに回転可能に取り付けられていて、前記ケースの係合部と前記レバー部材の被係合部が係合により係止されて該レバー部材が収納位置に保持されることを特徴とする請求項１乃至３何れか１項記載の車両用投影機。
【請求項５】
前記投影フイルムが光軸を中心にして回転させられるようにしたことを特徴とする請求項１乃至４何れか１項記載の車両用投影機。
【請求項６】
請求項１乃至５何れか１項記載の車両用投影機を具備した車両。
【発明の詳細な説明】
【技術分野】
【０００１】
本発明は、車両に装着されて装着位置よりも下方側の路面や地面等に画像を投影する車両用投影機、及び車両又は車両用ドアに関するものである。
【背景技術】
【０００２】
従来、この種の関連技術には、例えば特許文献１に記載のもののように、車両（１０）の乗降口（１１）には、開閉自在に設けられたフロントサイドドア（１２）が設けられている。このフロントサイドドアは、ドアライニング（１４）を備えており、その下部には孔（１９）が形成されていて、その内部に発光装置（２０）が固定されている。発光装置（２０）の青色ＬＥＤ（２１）または赤色ＬＥＤ（２２）から発せられた光は、集光レンズ（２４）、フィルム（２５）、投影レンズ（２６）を順に通過してケーシング（２７）の外部へと照射され、乗降口１１の外方の路面（１００）を照らす。この時、路面（１００）には、フィルム２５に印刷された文字等を投影するようにした車両用照明装置がある。
【０００３】
しかしながら、前記従来技術によれば、フィルム（２５）をケーシング（２７）内に固定した構造であるため、使用者等の好みや用途、情報伝達内容等に応じて、文字等の被投影画像を変更したい場合には、フロントサイドドア（１２）からドアライニング（１４）を外し、さらにドアライニング（１４）からタッピンねじで固定された発光装置を取り外した後、発光装置を分解してフィルム（２５）を交換する必要があった。そのため、フィルム（２５）を交換することが極めて困難であった。
【先行技術文献】
【特許文献】
【０００４】
【特許文献１】特開２０１１−１６３８３号公報
【発明の概要】
【発明が解決しようとする課題】
【０００５】
本発明は上記従来事情に鑑みてなされたものであり、その課題とする処は、投影される画像を容易に変更することができる投影画像カートリッジを用いた車両用投影機及び該車両用投影機を具備した車両を提供することにある。
【課題を解決するための手段】
【０００６】
上記の目的を達成するために、本発明による車両用投影機は、投影可能な被投影画像を有する投影フィルムと、投影フィルムを収納する投影画像カートリッジと、投影画像カートリッジを着脱可能に収納すると共にその投影フィルムの被投影画像を投影する車両用投影機とを備え、投影画像カートリッジは、車両用投影機の外部に露出し得るレバー部材を有することを特徴とする。
【０００７】
また、本発明の車両用投影機は、レバー部材は、車両用投影機から外部に露出して投影画像カートリッジを抜き出すための本体部を有することが好ましい。
【０００８】
また、本発明の車両用投影機は、レバー部材は、車両用投影機から外部に露出して押動されることで、その該レバー部材の本体部を外部に露出させる押動部を有することが好ましい。
【０００９】
また、本発明の車両用投影機は、投影画像カートリッジが、車両用投影機に対して着脱可能なケースと、ケースに対して着脱可能に装着されたカバーと、ケース及びカバーの間に配置された投影フィルムとを備え、レバー部材はケースに回転可能に取り付けられていて、ケースの係合部とレバー部材の被係合部が係合により係止されて、そのレバー部材が収納位置に保持されることが好ましい。
【００１０】
また、本発明の車両用投影機は、投影フイルムが光軸を中心にして回転させられるようにすることが好ましい。
【００１１】
さらに、本発明の車両は、上記車両用投影機を具備していることが好ましい。
【発明の効果】
【００１２】
本発明は、以上説明したように構成されているので、投影フィルムを内蔵した投影画像カートリッジのレバー部材を車両用投影機から突出させて指で摘むことにより、カートリッジを容易に抜き差しすることができるので、投影される画像を容易に変更することができる。
【図面の簡単な説明】
【００１３】
【図１】本発明に関連する投影画像カートリッジの一例を示す斜視図である。
【図２】投影画像カートリッジの分解斜視図である。
【図３】本発明に関連する車両用投影機の一例を示す斜視図である。
【図４】図３における（Ａ）−（Ａ）線に沿う断面図である。
【図５】図４における（Ｂ）−（Ｂ）線に沿う断面図であり、投影画像カートリッジを車両用投影機に装着した後の状態を示す断面図であると共に、カバーの下部を省略して示している。
【図６】図４における（Ｂ）−（Ｂ）線に沿う断面図であり、投影画像カートリッジを車両用投影機に装着する前の状態を示す断面図であると共に、カバーの下部を省略して示している。
【図７】図３と同様に視た斜視図であり、投影画像カートリッジを車両用投影機に装着した後にレバー部材を収納した状態を示す斜視図である。
【図８】本発明に関連する車両用投影機を具備した車両の一例を示す斜視図である。
【発明を実施するための形態】
【００１４】
本発明の好ましい実施の形態を、図示した実施例により説明する。
【００１５】
図１〜図８は、本発明に関する投影画像カートリッジ、投影画像カートリッジを用いた車両用投影機、及び該車両投影機を具備した車両を例示している。
【００１６】
図１〜図７を用いて投影画像カートリッジ１０、車両用投影機１００について説明する。投影画像カートリッジ１０は、フィルム本体１１ａ及び投影可能な被投影画像１１ｂを有する投影フィルム１１と、平板状のケース１２と、ケース１２に対し着脱可能に装着されたカバー１３と、ケース１２とカバー１３との間に回転可能に装着された環状回転部材１４と、環状回転部材１４に着脱可能に固定された投影フィルム１１と、投影フィルム１１を環状回転部材１４に押さえ付ける押え部材１５と、環状回転部材１４の回転を係止する回転係止部材１６とを備えている。また、環状回転部材１４の外周縁の一部をケース１２及びカバー１３の外部に露出して回転操作部としている。そして、この投影画像カートリッジ１０は、車両用投影機１００に対して着脱可能なカード状に構成されている。
【００１７】
投影フィルム１１は、略矩形状のフィルム本体１１ａに、被投影画像１１ｂを印刷してなる。フィルム本体１１ａは、透明（無色透明や色付き透明等を含む）の合成樹脂フィルムであり、後述する環状回転部材１４の嵌合凹部１４ａ嵌り合うように形成されている。被投影画像１１ｂは、後述する車両用投影機１００の光源の光を遮ることが可能な予め印刷された画像であり、例えば、不透明及び／又は半透明のインクにより着色された画像とすればよい。
【００１８】
ケース１２は、矩形平板状に形成され、開口部１２ａを形成している。この開口部１２ａは、投影フィルム１１の被投影画像１１ｂを含む大きさであると共に、後述する環状回転部材１４の回転ガイド部１４ｂ１を光軸中心に回転可能に嵌め合せるものである。
【００１９】
また、このケース１２の左右方向一辺側には、環状回転部材１４の歯部１４ｄ（回転操作部）を露出する切欠部１２ｂが形成され、ケース１２外周の一つの角には、表裏合せ用係合部１２ｃが設けられる。この表裏合せ用係合部１２ｃは、後述する車両用投影機１００内の表裏合わせ用被係合部１５１ａに対し、表裏方向が正規である場合にのみ嵌り合うように形成され、図示例によれば、ケース１２の外周の一つの角を面取り状に切欠した形状を呈するものである。表裏合わせ用係合部１２ｃは、ケース１２の形状を左右非対称且つ上下非対称にするためのものであればよく、他例としては、ケース１２の周縁部に凹状の切欠や、突部を形成した態様なども可能である。
【００２０】
また、ケース１２には、後述するレバー部材１８を回転可能となるようにねじ１７で取り付けるための取付穴１２ｄ、レバー部材１８の被係合部１８ｃと係合する弾性を有した係合部１２ｅ、後述する回転係止部材１６の両端を取り付ける２つの取付部１２ｇ、上下方向に向けて形成されていて、後述するカバー１３の被スライドガイド部１３ｂをケース１２の上方から差し込んでスライドさせることによりケース１２にカバー１３を取り付けるための４つのスライドガイド部１２ｆが形成されている。さらに、ケース１２には、投影画像カートリッジ１０が後述する車両用投影機１００に挿入された時、弾性押圧片１５２ｂと係合する係合凹部１２ｈが形成されている。
【００２１】
ケース１２の材質は、例えば、硬質合成樹脂材料とすればよいが、金属材料やその他の材料とすることも可能である。
【００２２】
尚、図示は省略するが、左右のスライドガイド部１２ｆの間には、カバー１３の被スライドガイド部１３ｂが差し込まれ下方へ移動させた際に、カバー１３を所定位置に位置決めする位置決め部が設けられる。
【００２３】
カバー１３は、矩形平板状に形成され、投影フィルム１１の被投影画像１１ｂを含む大きさの貫通状の開口部１３ａと、カバー１３の左右両辺側には、ケース１２のスライドガイド部１２ｆに嵌り合う被スライドガイド部１３ｂと、外周の一角にケース１２の表裏合せ用係合部１２ｃと同じ形状に形成された表裏合せ用係合部１３ｃ形成されている。このカバー１３は被スライドガイド部１３ｂを、ケース１２のスライドガイド部１２ｆに対し、上方側からスライドさせて、ケース１２に着脱可能に嵌め合わされ、カバー１３は、図示を省略したケース１２の位置決め部により、所定位置に位置決めされて取り付けられる。
【００２４】
環状回転部材１４は、投影フィルム１１を着脱可能に嵌め合わせる嵌合凹部１４ａと、嵌合凹部１４ａ内の底部に位置する開口部１４ｂと、開口部１４ｂからケース１２の開口部１２ａに向けてリング状に形成された回転ガイド部１４ｂ１、嵌合凹部１４ａの周囲側に後述する押え部材１５を周知のバヨネット構造により係合固定する周方向等間隔に四箇所に形成された被係合部１４ｃと、外周縁に全周にわたって設けられた歯部１４ｄとを有する。開口部１４ｂは、嵌合凹部１４ａの中心側に、投影フィルム１１の被投影画像１１ｂを含む大きさにて貫通状に設けられる。尚、四箇所の被係合部１４ｃは、同じ形状のため一箇所にのみ符号を付している。
【００２５】
環状回転部材１４の被係合部１４ｃは、嵌合凹部１４ａの周囲側に周方向に間隔を置いて複数設けられる。各被係合部１４ｃは、後述する押え部材１５の開口部１５ａの外側の周方向に間隔を置いて鍔状に複数設けられた各係合部１５ｂを各々周知のバヨネット構造にて係合することで、投影フィルム１１を挟んだ状態で環状回転部材１４と押え部材１５を取り付けるものである。また、歯部１４ｄは、歯車の歯形状を呈する凹凸であり、環状回転部材１４の外周に全周にわたって設けられる。また、歯部１４ｄの一部は、ケース１２の切欠部１２ｂとカバー１３の切欠部１３ｄから露出して回転操作部となっている。
【００２６】
押え部材１５は、投影フィルム１１における被投影画像１１ｂの周囲を環状に押圧する部材であり、図示例によれば、円環状に形成される。この押え部材１５の内周側の開口部１５ａは、投影フィルム１１の被投影画像１１ｂを含む大きさに形成される。また、この押え部材１５は、周方向等間隔に四箇所に並ぶ鍔状に形成された係合部１５ｂが、環状回転部材１４の被係合部１４ｃに対し周知のバヨネット構造にて取り付けされることで、投影フィルム１１の外周側を押圧した状態で、環状回転部材１４に一体的に固定される。尚、四箇所の係合部１５ｂは、同じ形状のため一箇所にのみ符号を付している。
【００２７】
また、回転係止部材１６は、弾性部材であって、その両端側がケース１２の取付部１２ｇに取り付けられる。この回転係止部材１６は、その突起部１６ａが環状回転部材１４の歯部１４ｄを構成する複数の凹部のうちの一つに嵌り合っており、環状回転部材１４が回転すると、弾性的に撓んで、突起部１６ａを係止する位置を、周方向に隣り合う他の凹部側へ移動させる。
【００２８】
レバー部材１８は、ケース１２の取付穴１２ｄにねじ１７により回転可能に取り付けられており、後述する車両用投影機１００から投影画像カートリッジ１０を抜き出す際に、指で摘むための本体部１８ｄ、車両用投影機１００に投影画像カートリッジ１０が装着された際に、車両用投影機１００から外側に露出する押動部１８ｂ、ケース１２の弾性を有する係合部１２ｅと係合する被係合部１８ｃとを備えている。
【００２９】
そのため、上記構成により、投影フィルム１１を交換する場合には、ケース１２に対してカバー１３を上方へスライドして外し、さらに、押え部材１５に形成された係合部１５ｂを環状回転部材１４の被係合部１４ｃから外し、環状回転部材１４の嵌合凹部１４ａに嵌った投影フィルム１１を他の投影フィルム１１に交換した後、上記と逆の手順の組立を行えばよい。
【００３０】
上記構成の投影画像カートリッジ１０によれば、外部に露出する環状回転部材１４の歯部１４ｄの外周縁（回転操作部）を、指で回せば、環状回転部材１４が回転し、環状回転部材１４と一体的な投影フィルム１１を回転させて、被投影画像１１ｂの回転角度を調整することができる。この際、回転させた環状回転部材１４は、回転係止部材１６との係合により係止されるため、車両１の振動等により容易に回転してしまうようなことはない。さらに、環状回転部材１４は、３６０°自在に回転させることができる。
【００３１】
尚、環状回転部材１４の歯部１４ｄの露出部分を、後述する車両用投影機１００に設けられた図示しない駆動源の駆動力によって回転する他の歯車に噛み合わせれば、路面等に投影する画像Ｘを、連続的に一方向へ回転させたり、一方と他方に交互に回転させたり、さらに駆動源を制御することで、その回転パターンを制御したり等して、独特な視覚的情報伝達効果や演出効果等を向上することができる。
【００３２】
車両用投影機１００は、ベース１００ａと、ベース１００ａに取り付けられる投影機本体１００ｂと、投影機本体１００ｂに対し抜き差しして交換可能なカード状の投影画像カートリッジ１０とを備える。ベース１００ａには、光出射用の開口部を覆って光経路内への異物の侵入を防ぐ透明プレート１００ａ１と、投影画像カートリッジ１０を抜き差しするための投影画像カートリッジ用挿通穴１００ａ２とを備えている。
【００３３】
投影機本体１００ｂは、灯体１０１内の略直線状の光路上に、ＬＥＤにより光を発する光源１１０と、光源１１０から発せられる光を適宜方向へ向ける単数もしくは複数の反射手段１２０（例えば、プリズムやミラー等）と、光をコリメート化したり結像したりする複数のレンズ１３０とを備えている。そして、このような構成により、投影画像カートリッジ１０は、車両用投影機１００に装着されることで、画像Ｘを投影することができる。さらにこの画像Ｘは、視覚的に情報を伝達したり、視る者を楽しませたり等、独特の視覚的効果を奏する。
【００３４】
灯体１０１内の光経路中には、投影画像カートリッジ１０が着脱可能に装着されるカートリッジ装着部１５０が設けられる。このカートリッジ装着部１５０は、投影画像カートリッジ１０を下方から差し入れて嵌め合せるように形成される。このカートリッジ装着部１５０は、光経路の側方を囲む壁面１５１を、下方を開口した断面凹状に形成すると共に、光源側で投影画像カートリッジ１０の表面に接触する壁面１５２に、投影画像カートリッジ１０の被投影画像１１ｂを含む大きさの開口部１５２ａを形成している。
【００３５】
また、壁面１５１には、その上端側の一つの角部分に、表裏合せ用被係合部１５１ａが形成される。また、壁面１５１の内面側には、投影画像カートリッジ１０の側面を弾性的に押圧する弾性押圧片１５２ｂが設けられる。弾性押圧片１５２ｂは、弾性変形可能な金属片（例えば、板ばね材料等）によって、突端側を弾性的に凹ませたり復元したりするように形成される。
【００３６】
尚、投影画像カートリッジ１０のケース１２に形成した係合凹部１２ｈに、弾性押圧片１５２ｂを係止することで、投影画像カートリッジ１０が車両用投影機１００から容易に抜け落ちないようにしているが、他例としては、係合凹部１２ｈを有さない投影画像カートリッジ１０の側面に、弾性押圧片１５２ｂを押し付けて投影画像カートリッジ１０を保持する構造とすることも可能である。
【００３７】
次に主に図５、図６を用いて、車両用投影機１００に対する投影画像カートリッジ１０の脱着について説明する。尚、図５、図６は、カバー１３の下部を切り取り、ケース１２に取り付けられたレバー部材１８等の部材を理解し易く示している。
【００３８】
先ず、装着状態では、投影画像カートリッジ１０はカートリッジ装着部１５０内に収納さえている。そして、レバー部材１８は、車両用投影機１００への装着状態において、ケース１２の係合部１２ｅとレバー部材１８の被係合部１８ｃが係合により係止されていると共に、レバー部材１８の押動部１８ｂがベース１ａの投影画像カートリッジ用挿通孔１００ａ２から外側に露出している。そのため、車両用投影機１００のベース1００ａからは、投影画像カートリッジ１０の押動部１８ｂのみが露出するだけですみ、誤って投影画像カートリッジ１０に触れて破損してしまうことがない。
【００３９】
この状態から、投影用画像カートリッジ１０を抜き出す場合、ベース１００ａの投影画像カートリッジ用挿通孔１００ａ２から外部に突出しているレバー部材１８の押動部１８ｂを投影フィルム１１側に向かい指先で押すことにより、ケース１２の係合部１２ｅとレバー１８の被係合部１８ｃとの係止状態が解除されてレバー部材１８が時計方向に回転し、ベース１００ａからレバー部材１８の本体部１８ｄが外に露出する。これにより、本体部１８ｄを指で摘むことができるようになる。
【００４０】
そして、レバー部材１８を指で摘んで下方に引くことにより、係合凹部１２ｈから弾性押圧片１５２ｂが外れ、投影用画像カートリッジ１０を車両用投影機１００のカートリッジ装着部１５０から容易に且つ確実に抜き出すことが出来る。
【００４１】
このように、上記構成の車両用投影機１００によれば、レバー部材１８の本体部１８ｄを指で摘むようにして、投影画像カートリッジ１０を容易に且つ確実に抜き出すことができる。例えば、投影画像カートリッジ１０を外し、その押え部材１５を外し、投影フイルム１１を異なる被投影画像１１ｂを有するものに交換したり、投影画像カートリッジ１０全体を異なる投影フィルム１１を有するものに交換したり等、容易に且つ確実に行うことができる。
【００４２】
次に、投影画像カートリッジ１０を車両用投影機１００に装着する場合には、投影画像カートリッジ１０のレバー部材１８側を指で押して、ベース１００ａの投影画像カートリッジ挿通孔１００ａ２に差し込み投影機本体１００ｂ側に向けて上方に押し込むことにより、投影画像カートリッジ１０がカートリッジ装着部１５０に挿入され、係合凹部１２ｈと弾性押圧片１５２ｂが係合により係止される。
【００４３】
その後、レバー部材１８の本体部１８ｄを反時計方向に指で回転させることで、レバー部材１８の被係合部１８ｃとケース１２の係合部１２ｅが係合により係止してレバー部材１８の本体部１８ｄが車両用投影機１００内に収納されて、取り付けが完了する。この時、上述したように押動部１８ｂのみが、ベース１００ａの投影画像カートリッジ用挿通孔１００ａ２から外部に突出している。
【００４４】
また、投影画像カートリッジ１０を装着する際に、仮に、表裏方向を逆にして投影画像カートリッジ１０を差し込んだ場合には、表裏合せ用係合部１２ｃ，１３ｃと表裏合せ用被係合部１５１ａが嵌り合わず、投影画像カートリッジ１０が奥側まで入り込まないので、使用者に表裏方向が間違えていることを報せることができる。
【００４５】
次に図７、図８を用いて、上記構成の車両用投影機１００を具備して車両１を構成したものについて説明する。上記構成の投影画像カートリッジ１０は、車両用投影機１００に装着され、さらに車両用投影機１００が車両１に装着されて用いられることで、車両用投影機１００よりも下方側の路面や地面に、画像Ｘを投影する。この画像Ｘは、車両１の搭乗者等に視覚的に情報を伝達したり、視覚的な演出を行ったりする画像であり、例えば、車両１の製造メーカのロゴマークや、文字、図形、模様、写真等とすることが可能である。そのため、画像Ｘは、視覚的に情報を伝達したり、視る者を楽しませたり等、独特の視覚的効果を奏する。
【００４６】
車両用投影機１００は、車両用ドア２が開放した時に、路面に対し画像Ｘを投影するように、車両用ドア２の下端側に装着される。そのため、上述した投影画像カートリッジ１０の着脱交換又は投影フィルム１１の交換によって、画像Ｘを異なるものに容易に変更することができる。その上、投影画像カートリッジ１０の環状回転部材１４と噛み合うような他の歯車を有する図示しない駆動源を設ければ、その駆動力によって路面等に投影する画像Ｘを、連続的に一方向へ回転させたり、一方と他方に交互に回転させたり、さらに駆動源を制御することで、その回転パターンを制御したり等して、独特な視覚的情報伝達効果や演出効果等を向上することができる。
【００４７】
なお、路面又は地面等に画像Ｘを投影するようにしたが、他例としては、車両用投影機１００による照射方向を変えることで、車両１のステップ部分（踏み面）や、その他の部分に画像Ｘを投影することも可能である。
【００４８】
上記実施例によれば、レバー部材１８に押動部を設けたが、投影画像カートリッジを車両用投影機１００に収納した状態で、レバー部材１８の本体部１８ｄと反対側の部位を、車両用投影機の外側から先端が細い工具等で押動させることが出来る場合は、押動部１８ｂを設ける必要はない。
【００４９】
また、上記実施例によれば、好ましい一例として投影フィルム１１を回転可能としたが、他例としては、回転させずに投影フィルムをケースとカバーの間に配置させるだけの構成にすることも可能である。
【００５０】
また、上記実施例によれば、車両用投影機１００を車両用ドア２の下部側に配置したが、他例としては、車両用ドア２における下部側以外の位置や、車両本体や、フェンダーミラーの支持体等に設けることも可能である。
【００５１】
また、上記実施例によれば、車両用投影機１００を４輪車両に設けるようにしたが、他例として、同構造の車両用投影機１００を２輪車両に設けることも可能である。
【００５２】
また、上記実施例の車両用投影機１００では、投影画像カートリッジ１０を下方から抜き差しするようにしているが、他例としては、車両用投影機１００に対し、側方や上方、斜め方向から投影画像カートリッジを抜き差しする構造とすることも可能である。
【００５３】
また、上記実施例の車両用投影機１００は、光源１１０の光により画像Ｘを投影する構成としたが、他例としては、光源１１０の光を分割する光学素子（例えば、ビームスプリッタ等）を備え、該光学素子により分割された一部の光により投影を行うとともに、他の光を照明として用いる構成とすることも可能である。
【符号の説明】
【００５４】
１：車両
２：車両用ドア
１０：投影画像カートリッジ
１１：投影フィルム
１１ａ：フィルム本体
１１ｂ：被投影画像
１２：ケース
１２ａ，１３ａ，１４ｂ，１５ａ，１５２ａ：開口部
１２ｃ，１３ｃ：表裏合せ用係合部
１２ｅ，１５ｂ：係合部
１３：カバー
１４：環状回転部材
１４ａ：嵌合凹部
１４ｂ１：回転ガイド部
１４ｃ，１８ｃ：被係合部
１５：押え部材
１６：回転係止部材
１８：レバー部材
１８ｂ：押動部
１８ｄ：本体部
１００：車両用投影機
１００ａ：ベース
１００ｂ：投影機本体
１１０：光源
１３０：レンズ
１５０：カートリッジ装着部
１５１ａ：表裏合せ用被係合部
Ｘ：画像
【図１】
2017030428.tif 000003
【図２】
2017030428.tif 000004
【図３】
2017030428.tif 000005
【図４】
2017030428.tif 000006
【図５】
2017030428.tif 000007
【図６】
2017030428.tif 000008
【図７】
2017030428.tif 000009
【図８】
2017030428.tif 000010